(57)【要約】【課題】  受信感度が向上した空調機を提供する。【解決手段】  空調機１は、空調機本体１１と、無線通信用回路５５と、無線通信用アンテナ１９とを備えている。無線通信用回路５５は、空調機本体１１または近傍に設置されている。無線通信用アンテナ１９は、空調機本体１１の室内露出部分に配置されている。また、無線通信用アンテナ１９は、無線通信回路５５と通信接続される。【選択図】      図１
2006336883.tif 000002
【特許請求の範囲】
【請求項１】
空調機本体（１１）と、
前記空調機本体（１１）または近傍に設置された無線通信用回路（５５）と、
前記空調機本体（１１）の室内露出部分に配置され、前記無線通信用回路（５５）と通信接続される無線通信用アンテナ（１９，２３，２４，２５，３１，４５）と
を備える空調機。
【請求項２】
前記無線通信用アンテナ（１９，２３，３１）は、前記空調機本体（１１）の室内露出部分のコーナに配置されたコーナパネル（１８）に設置され、
前記無線通信用アンテナ（１９，２３，３１）は、前記空調機本体（１１）の４つの前記コーナパネル（１８）のうちのいずれか１カ所に取付可能である、
請求項１に記載の空調機。
【請求項３】
前記コーナパネル（１８）は、前記空調機本体（１１）の４つのコーナに着脱自在に取付可能である、
請求項２に記載の空調機。
【請求項４】
前記無線通信用アンテナ（２３）は、前記空調機本体（１１）の４つのコーナパネル（１８）にそれぞれ取り付けられている、
請求項２に記載の空調機。
【請求項５】
前記無線通信用アンテナ（１９，２３，３１）は、前記コーナパネル（１８）に垂直に取り付けられたアンテナである
請求項２から４のいずれかに記載の空調機。
【請求項６】
前記無線通信用アンテナ（３１）は、前記コーナパネル（１８）に取り付けられた指向性アンテナである
請求項２から５のいずれかに記載の空調機。
【請求項７】
前記無線通信用アンテナ（３１）の向きは、前記空調機本体（１１）の吹出口（１５）に取り付けられたフラップ（１３）を駆動する駆動手段（２８）によって調整可能である、
請求項６に記載の空調機。
【請求項８】
前記駆動手段（２８）の駆動力を、前記フラップ（１３）および／または前記無線通信用アンテナ（３１）へ選択的に伝達する伝達手段（３２，３３）をさらに備え、
前記無線通信用アンテナ（３１）の向きは、前記フラップ（１３）の向きと独立して、前記駆動手段（２８）によって調整可能である、
請求項７に記載の空調機。
【請求項９】
前記無線通信用アンテナ（２４）は、前記空調機本体（１１）の吸気口（１６）に取り付けられた吸気グリル（１２）に固定され、
前記吸気グリル（１２）は、前記空調機本体（１１）の吸気口（１６）に対して、２方向以上のうちから選択された任意の向きに向くように、着脱自在に取り付けられる、
請求項１に記載の空調機。
【請求項１０】
前記無線通信用アンテナ（２５）は、前記空調機本体（１１）の吹出口（１５）に取り付けられたフラップ（１３）に設置されている、
請求項１に記載の空調機。
【請求項１１】
前記無線通信用アンテナ（４５）は、前記側面パネル（４２）に設置されている、
請求項１に記載の空調機。
【請求項１２】
前記無線通信用アンテナ（４５）は、前記吹出口（４３）近傍に設置されている、
請求項１に記載の空調機。
【請求項１３】
前記無線通信用アンテナ（４５）は、前記空調機本体（１１）における前記無線通信用アンテナ（４５）の設置場所にほぼ平滑に設置可能なシート状または板状のアンテナである、
請求項１から１２のいずれかに記載の空調機。
【請求項１４】
前記無線通信用アンテナ（２３）が通信状態であることを視覚的に知らせるための視覚的報知手段（３０）をさらに備えている、
請求項１から１３のいずれかに記載の空調機。
【請求項１５】
前記視覚的報知手段（３０）は、発光ダイオードからなる
請求項１４に記載の空調機。
【発明の詳細な説明】
【技術分野】
【０００１】
本発明は、空調機に関し、とくに、室内で用いられる空調機に関する。
【背景技術】
【０００２】
従来より、室内で用いられる空調機を利用して、室内の通信ネットワークを確立することが提案されている。
特許文献１記載の空調システムでは、室内機に設けられた収納部に、通信機器等の電化設備機器を収納している。収納された通信機器は、室内で利用される通信端末の無線通信用の中継器（アクセスポイント）として利用される。
【特許文献１】特開２００５−３７１１７号公報
【発明の開示】
【発明が解決しようとする課題】
【０００３】
しかし、特許文献１記載の空調システムでは、アンテナが収納部に配置されているが、室内で利用される通信端末からの送信電波に対する受信感度の向上を図ることが困難である。
本発明の課題は、受信感度が向上した空調機を提供することにある。
【課題を解決するための手段】
【０００４】
第１発明の空調機は、空調機本体と、無線通信用回路と、無線通信用アンテナとを備えている。無線通信用回路は、空調機本体または近傍に設置されている。無線通信用アンテナは、空調機本体の室内露出部分に配置されている。また、無線通信用アンテナは、無線通信回路と通信接続される。
ここでは、無線通信用アンテナが、空調機本体の室内露出部分に配置されているので、室内で利用される通信端末からの送信電波に対する受信感度が向上する。
【０００５】
第２発明の空調機は、第１発明の空調機であって、無線通信用アンテナは、コーナパネルに設置されている。コーナパネルは、空調機本体の室内露出部分のコーナに配置されている。無線通信用アンテナは、空調機本体の４つのコーナパネルのうちのいずれか１カ所に取付可能である。
ここでは、無線通信用アンテナが空調機本体のコーナに配置された４つのコーナパネルのうちのいずれか１カ所に取付可能であるので、空調機本体において、最も通信状態のよいコーナを選択して無線通信用アンテナを設置することが可能である。
【０００６】
第３発明の空調機は、第２発明の空調機であって、コーナパネルは、空調機本体の４つのコーナに着脱自在に取付可能である。
ここでは、コーナパネルが空調機本体の４つのコーナに着脱自在に取付可能であるので、コーナパネルを最も通信状態のよいコーナへ容易に付け替えることが可能である。
【０００７】
第４発明の空調機は、第２発明の空調機であって、無線通信用アンテナは、空調機本体の４つのコーナパネルにそれぞれ取り付けられている。
ここでは、無線通信用アンテナが空調機本体の４つのコーナにそれぞれ取り付けられているので、４本の無線通信用アンテナのうちの最も通信状態のよいアンテナによって、常時良好な通信状態が得られる。
【０００８】
第５発明の空調機は、第２発明から第４発明のいずれかの空調機であって、無線通信用アンテナは、コーナパネルに垂直に取り付けられたアンテナである。
ここでは、無線通信用アンテナがコーナパネルに垂直に取り付けられたアンテナであるので、受信感度が向上する。
第６発明の空調機は、第２発明から第５発明のいずれかの空調機であって、無線通信用アンテナは、コーナパネルに取り付けられた指向性アンテナである。
ここでは、無線通信用アンテナがコーナパネルに取り付けられた指向性アンテナであるので、指向性アンテナで室内の通信エリアを分けることが可能である。また、コーナパネルの設置場所によって無線通信用アンテナの向きの調整が可能である。
【０００９】
第７発明の空調機は、第６発明の空調機であって、無線通信用アンテナの向きは、フラップを駆動する駆動手段によって調整可能である。フラップは、空調機本体の吹出口に取り付けられている。
ここでは、無線通信用アンテナの向きをフラップを駆動する駆動手段によって調整することが可能である。
【００１０】
第８発明の空調機は、第７発明の空調機であって、伝達手段をさらに備えている。伝達手段は、駆動手段の駆動力を、フラップおよび／または無線通信用アンテナへ選択的に伝達する。無線通信用アンテナの向きは、フラップの向きと独立して、駆動手段によって調整可能である。
ここでは、駆動手段の駆動力をフラップおよび／または無線通信用アンテナへ選択的に伝達する伝達手段をさらに備えているので、無線通信用アンテナの向きは、フラップの向きと独立して、駆動手段によって調整可能である。
【００１１】
第９発明の空調機は、第１発明の空調機であって、無線通信用アンテナは、吸気グリルに固定されている。吸気グリルは、空調機本体の吸気口に取り付けられている。吸気グリルは、空調機本体の吸気口に対して、２方向以上のうちから選択された任意の向きに向くように、着脱自在に取り付けられる。
ここでは、無線通信用アンテナが吸気グリルに固定され、且つ、吸気グリルが空調機本体の吸気口に対して任意の向きに取付可能であるので、任意の向きへ無線通信用アンテナを向けて設置することが可能である。
【００１２】
第１０発明の空調機は、第１発明の空調機であって、無線通信用アンテナは、フラップに設置されている。フラップは、空調機本体の吹出口に取り付けられている。
ここでは、フラップの向きに合わせて無線通信用アンテナの向きが調整可能である。
【００１３】
第１１発明の空調機は、第１発明の空調機であって、無線通信用アンテナは、側面パネルに設置されている。
ここでは、無線通信用アンテナが側面パネルに設置されているので、天井に対して水平方向が無線通信の放射方向となり、居室内における人が存在する可能性が高い位置との無線通信が容易になる。
【００１４】
第１２発明の空調機は、第１発明の空調機であって、無線通信用アンテナは、吹き出し口近傍に設置されている。
ここでは、無線通信用アンテナが吹き出し口近傍に設置されているので、天井に対して水平方向が無線通信の放射方向となり、居室内における人が存在する可能性が高い位置との無線通信が容易になる。
【００１５】
第１３発明の空調機は、第１発明から第１２発明のいずれかの空調機であって、無線通信用アンテナは、シート状または板状のアンテナである。シート状または板状のアンテナは、空調機本体における無線通信用アンテナの設置場所にほぼ平滑に設置可能である。
ここでは、無線通信用アンテナが空調機本体における無線通信用アンテナの設置場所にほぼ平滑に設置可能なシート状または板状のアンテナであるので、安定した通信状態が得られ、且つ、無線通信用アンテナが空調機本体の表面から突出しないので、見た目がよい。
【００１６】
第１４発明の空調機は、第１発明から第１３発明のいずれかの空調機であって、視覚的報知手段をさらに備えている。視覚的報知手段は、無線通信用アンテナが通信状態であることを視覚的に知らせるための手段である。
ここでは、無線通信用アンテナが通信状態であることを視覚的に知らせるための視覚的報知手段をさらに備えているので、室内に居る人は、視覚的報知手段を見ることによって容易に通信状態であるか否かを確認することが可能である。
【００１７】
第１５発明の空調機は、第１４発明の空調機であって、視覚的報知手段は、発光ダイオードからなる。
ここでは、視覚的報知手段が発光ダイオードであるので、空調機本体や前面パネルの表面の任意の場所に取り付けることができ、しかも、消費電力が少なくて済む。
【発明の効果】
【００１８】
第１発明によれば、室内で利用される通信端末からの送信電波に対する受信感度が向上する。
第２発明によれば、空調機本体において最も通信状態のよいコーナを選択して無線通信用アンテナを設置することができる。
第３発明によれば、コーナパネルを最も通信状態のよいコーナへ容易に付け替えることができる。
【００１９】
第４発明によれば、４本の無線通信用アンテナのうちの最も通信状態のよいアンテナによって、常時良好な通信状態が得られる。
第５発明によれば、コーナパネルに垂直に取り付けられたアンテナによって受信感度が向上する。
第６発明によれば、指向性アンテナで室内の通信エリアを分けることができる。また、無線通信用アンテナの向きの調整ができる。
【００２０】
第７発明によれば、無線通信用アンテナの向きをフラップを駆動する駆動手段によって調整することができる。
第８発明によれば、無線通信用アンテナの向きをフラップの向きと独立して駆動手段によって調整することができる。
第９発明によれば、任意の向きへ無線通信用アンテナを向けて設置することができる。
【００２１】
第１０発明によれば、フラップの向きに合わせて無線通信用アンテナの向きを調整できる。
第１１発明によれば、居室内における人が存在する可能性が高い位置との無線通信を容易に行うことができる。
第１２発明によれば、居室内における人が存在する可能性が高い位置との無線通信を容易に行うことができる。
【００２２】
第１３発明によれば、安定した通信状態が得られる。しかも、見た目がよい。
第１４発明によれば、通信状態であるか否かを容易に確認することができる。
第１５発明によれば、空調機本体や前面パネルの表面の任意の場所に取り付けることができる。しかも、消費電力が少なくて済む。
【発明を実施するための最良の形態】
【００２３】
〔第１実施形態〕
つぎに、本発明の空調機の第１実施形態として、空調システム１００の室内機１について、図面を参照しながら説明する。なお、本発明における空調機には、除湿器、換気扇、および全熱交換器なども含まれる。
図１に示される空調システム１００は、複数の空調空間ＳＩにそれぞれ設置された室内機１と、室外機２と、コントローラ３とを備えている。
【００２４】
複数の室内機１は、天井裏空間ＳＢへ埋設される天井埋込型の室内機であり、冷媒を循環できるように冷媒配管４を介して室外機２に接続されている。また、複数の室内機１および室外機２は、有線ＬＡＮ５を介してコントローラ３に通信可能に接続されている。
また、室内空間ＳＩの内部に有るネットワーク通信用の通信端末２００は、最寄りの室内機１に設置された無線通信用のアンテナ１９を介して有線ＬＡＮ５にアクセスすることが可能である。すなわち、室内機１は、通信端末２００の通信のための無線ＬＡＮ用アクセスポイントとして機能する。また、有線ＬＡＮ５には、ネットワーク通信用のサーバ３００が接続されている。サーバ３００は、空調空間ＳＩの外部に設置されている。
【００２５】
図１〜図５に示されるように、室内機１は、空調機本体１１と、吸気グリル１２と、フラップ１３と、前面パネル１４と、スイッチボックス１７と、コーナパネル１８と、アンテナ１９と、無線通信用回路５５と、ネットワークコネクタ５６と、空調部５０を備えている。
吸気グリル１２は、空調機本体１１の吸気口１６に対して、水平方向に互いに９０度開いた２方向のうちから選択された任意の向きに向くように、着脱自在に取り付けられている。
【００２６】
フラップ１３は、空調機本体１１の吹出口１５に対して、上下方向に揺動自在に取り付けられている。
空調部５０は、図３に示されるように、室内熱交換器５１、電動弁５２、室内ファンモータ５３、および室内制御部５４を備えている。空調部５０は、コントローラ３から有線ＬＡＮ５を介して指令を受けることにより若しくは有線ＬＡＮ５を介して遠隔から指令を受けることにより、これらの構成要素に基づいて室内空間ＳＩの空気の調和を行う。
【００２７】
また、空調部５０の室内制御部５４は、図３に示すように、天井裏空間ＳＢに張り巡らされている有線ＬＡＮ５を介して空調システム１００の室外機２やサーバ３００と通信可能に接続されている。
スイッチボックス１７には、無線通信用回路５５およびネットワークコネクタ５６が収納されている。
【００２８】
無線通信用回路５５は、通信端末２００と無線ＬＡＮのための無線通信を行うための回路である。
ネットワークコネクタ５６は、無線通信用回路５５を有線ＬＡＮ５に接続するためのコネクタである。これにより、通信端末２００は、有線ＬＡＮ５を利用したネットワーク通信を行うことが可能である。
コーナパネル１８は、空調機本体１１の４つのコーナに着脱自在に取り付けられている。コーナパネル１８は、前面パネル１４と嵌合している。
アンテナ１９は、４つのコーナパネル１８うちの１つに垂直に固定されている。アンテナ１９の上端部には、接続用プラグ２２が設けられている。接続用プラグ２２は、前面パネル１４の４つのコーナにそれぞれ設けられたソケット２１に着脱自在に接続されている。ソケット２１は、スイッチボックス１７の内部の無線通信用回路５５に通信可能に接続されている。
【００２９】
＜第１実施形態の特徴＞
（１）
第１実施形態の室内機１では、無線通信用アンテナ１９が、空調機本体１１の室内露出部分であるコーナパネル１８に配置されているので、空調空間ＳＩの内部で利用される通信端末２００からの送信電波に対する受信感度が向上する。
（２）
第１実施形態の室内機１では、コーナパネル１８に設置されるアンテナ１９が空調機本体１１の４つのコーナのうちのいずれか１カ所に取付可能であるので、空調機本体１１において、最も通信状態のよいコーナを選択してアンテナ１９を設置することが可能である。
（３）
第１実施形態の室内機１では、コーナパネル１８が空調機本体１１の４つのコーナに着脱自在に取付可能であるので、コーナパネル１８およびコーナパネル１８に設置されたアンテナ１９を最も通信状態のよいコーナへ容易に付け替えることが可能である。
（４）
第１実施形態の室内機１では、アンテナ１９がコーナパネル１８に垂直に取り付けられているので、受信感度が向上する。
【００３０】
〔第２実施形態〕
つぎに、本発明の空調機の第２実施形態として、室内機１について、図面を参照しながら説明する。
図６に示される室内機１は、空調機本体１１と、吸気グリル１２と、フラップ１３と、前面パネル１４と、スイッチボックス１７と、コーナパネル１８と、無線通信用のアンテナ２３と、光報知部３０とを備えている。また、室内機１は、第１実施形態と同様に、図３に示されるように、無線通信用回路５５と、ネットワークコネクタ５６と、空調部５０を備えている。
【００３１】
アンテナ２３は、空調機本体１１のコーナに配置された４つのコーナパネル１８にそれぞれ垂直方向に取り付けられている。また、４本のアンテナ２３は、第１実施形態のアンテナ１９と同様に、無線通信用回路５５に接続されている。４本のアンテナ２３のうち最も通信状態のよいアンテナ２３によって、常時、受信感度が向上する。
また、第２実施形態の室内機１では、第１実施形態と比較してアンテナ２３の数が増えているので、通信用のチャンネル数も増設されている。すなわち、４本のアンテナ２３には、通信端末２００との通信のために、それぞれ異なるチャンネルが割り当てられている。そのため、４本のアンテナ２３のうちのいずれか１本のみが、通信端末２００と通信が許されるので、輻輳のおそれがない。
光報知部３０は、アンテナ２３が通信状態であることを視覚的に知らせる。図６に示される室内機１では、光報知部３０は、４本のアンテナ２３にそれぞれ対応するように、空調機本体１１の４つのコーナにおいてアンテナ２３の近い位置にそれぞれ取り付けられている。光報知部３０が点灯または点滅することにより、４本のアンテナ２３のうちどのアンテナ２３が通信状態であるかを目で見て確認することができる。光報知部３０は、発光ダイオードからなる。
【００３２】
＜第２実施形態の特徴＞
（１）
第２実施形態の室内機１では、アンテナ２３が空調機本体１１の４つのコーナパネル１８にそれぞれ取り付けられているので、４本のアンテナ２３うちの最も通信状態のよいアンテナによって、常時良好な通信状態が得られる。
（２）
第２実施形態の室内機１では、４本のアンテナ２３が通信状態であることを視覚的に知らせるための光報知部３０をさらに備えているので、室内に居る人は、光報知部３０を見ることによって容易に通信状態であるか否かを確認することが可能である。
（３）
第２実施形態の室内機１では、光報知部３０が発光ダイオードであるので、空調機本体１１や前面パネル１４の表面の任意の場所に取付可能であり、しかも、消費電力が少なくて済む。
【００３３】
〔第３実施形態〕
つぎに、本発明の空調機の第３実施形態として、室内機１について、図面を参照しながら説明する。
図７に示される室内機１は、空調機本体１１と、吸気グリル１２と、フラップ１３と、前面パネル１４と、スイッチボックス１７と、コーナパネル１８と、無線通信用のアンテナ３１とを備えている。また、室内機１は、第１実施形態と同様に、図３に示されるように、無線通信用回路５５と、ネットワークコネクタ５６と、空調部５０を備えている。
アンテナ３１は、指向性アンテナであり、空調機本体１１のコーナに４つのコーナパネル１８のうちのいずれか１つに、コーナパネル１８から下方に吊り下げるように垂直方向に取り付けられている。また、アンテナ３１は、第１実施形態のアンテナ１９と同様に、無線通信用回路５５に接続されている。
コーナパネル１８は、空調機本体１１の４つのコーナに着脱自在に取り付けられ、且つ、前面パネル１４と嵌合している。
【００３４】
＜第３実施形態の特徴＞
（１）
第３実施形態の室内機１では、アンテナ３１がコーナパネル１８に取り付けられた指向性アンテナであるので、指向性アンテナの放射方向によって室内の通信エリアを分けることが可能である。
（２）
第１実施形態の室内機１では、コーナパネル１８が空調機本体１１の４つのコーナに着脱自在に取付可能であるので、コーナパネル１８の設置場所によってアンテナ３１の向きの調整が可能である。これにより、アンテナ３１を最適な方向へ容易に調整することが可能である。例えば、図７に示されるアンテナ３１は、アンテナ３１の放射方向が吸気グリル１２の４つの対角方向のうちの１つを向くように配置されている。したがって、コーナパネル１８を空調機本体１１の４つのコーナのうちの１つに付け替えることによって、アンテナ３１の向きを調整することが可能である。
【００３５】
〔第４実施形態〕
つぎに、本発明の空調機の第４実施形態として、室内機１について、図面を参照しながら説明する。
図８に示される室内機１は、空調機本体１１と、吸気グリル１２と、フラップ１３と、前面パネル１４と、スイッチボックス１７と、無線通信用のアンテナ２４とを備えている。また、室内機１は、第１実施形態と同様に、図３に示されるように、無線通信用回路５５と、ネットワークコネクタ５６と、空調部５０を備えている。
アンテナ２４は、板状の指向性アンテナであり、吸気グリル１２の表面から垂直方向に突出するように吸気グリル１２に固定されている。
吸気グリル１２は、空調機本体１１の吸気口１６に対して、水平方向に互いに９０度開いた２方向のうちから選択された任意の向きに向くように、着脱自在に取り付けられている。したがって、空調機本体１１の吸気口１６に対して吸気グリル１２を取り付けるときに、図９（ａ）または図９（ｂ）に示されるように、アンテナ２４が良好な通信を行うことが可能な向きに吸気グリル１２を向けて取り付けることが容易である。
【００３６】
＜第４実施形態の特徴＞
（１）
第４実施形態の室内機１では、アンテナ２４が吸気グリル１２に固定され、且つ、吸気グリル１２が空調機本体１１の吸気口１６に対して任意の向きに取付可能であるので、任意の向きへアンテナ２４を向けて設置することが可能である。
【００３７】
〔第５実施形態〕
つぎに、本発明の空調機の第５実施形態として、室内機１について、図面を参照しながら説明する。
図１０に示される室内機１は、空調機本体１１と、吸気グリル１２と、フラップ１３と、前面パネル１４と、スイッチボックス１７と、無線通信用のアンテナ２５とを備えている。また、室内機１は、第１実施形態と同様に、図３に示されるように、無線通信用回路５５と、ネットワークコネクタ５６と、空調部５０を備えている。
アンテナ２５は、板状の指向性アンテナであり、フラップ１３に固定されている。
【００３８】
フラップ１３は、空調機本体１１の吹出口１５に対して、上下方向に揺動自在に取り付けられている。すなわち、図１１に示されるように、フラップ１３は、回転軸２６の一端に固定されている。回転軸２６の他端は、ギヤボックスなどの減速機２７を介して駆動モータ２８に接続されている。
したがって、駆動モータ２８の駆動力によってフラップ１３を上下方向へ揺動させてフラップ１３の向きを変えることにより、フラップ１３に合わせてアンテナ２５の向きを容易に調整することが可能である。
【００３９】
＜第５実施形態の特徴＞
（１）
第５実施形態の室内機１では、アンテナ２５がフラップ１３に設置されているので、フラップ１３の向きに合わせてアンテナ２５の向きが調整可能である。
＜第５実施形態の変形例＞
第５実施形態では、アンテナ２５がフラップ１３に設置され、駆動モータ２８の駆動力によって、フラップ１３の向きに合わせてアンテナ２５の向きが調整されているが、本発明はこれに限定されるものではなく、フラップ１３の向きと独立して板状の指向性アンテナであるアンテナ３１の向きを変えるようにしてもよい。アンテナ３１は、図７に示されるように、コーナパネル１８に取り付けられた指向性アンテナである。
すなわち、図１２に示されるように、室内機１は、駆動モータ２８の駆動力を、フラップ１３および／またはアンテナ３１へ選択的に伝達する伝達手段として、電磁クラッチ３２、３３をさらに備えている。また、室内機１は、アンテナ３１を水平方向へ駆動させるために、互いに直交する回転軸２９および３５と、回転軸２９および３５の間で直角方向に動力伝達を行うための直角減速機３４とをさらに備えている。直角減速機３４は、ラックおよびピニオンを組み合わせた機構などからなる。
【００４０】
これによって、フラップ１３を駆動させるときには、電磁クラッチ３２をつなぎ、駆動モータ２８の駆動力を、減速機２７、電磁クラッチ３２、回転軸２６、およびフラップ１３の順に伝達させて、フラップ１３を自動的に上下方向へ揺動させる。
一方、アンテナ３１を駆動させるときには、電磁クラッチ３３をつなぎ、駆動モータ２８の駆動力を、減速機２７、電磁クラッチ３３、回転軸２９、直角減速機３４、回転軸３５、およびアンテナ３１の順に伝達させて、アンテナ３１を自動的に水平方向へ回転させる。
また、電磁クラッチ３２および電磁クラッチ３３の両方をつなげば、駆動モータ２８の駆動力をフラップ１３およびアンテナ３１へ同時に伝達させることができ、フラップ１３の上下方向の揺動、およびアンテナ３１の水平回転を同時に行うことが可能である。
以上のように、室内機１が駆動モータ２８の駆動力をフラップ１３および／またはアンテナ３１へ選択的に伝達する電磁クラッチ３２、３３をさらに備えているので、無線通信用アンテナの向きは、前記フラップの向きと独立して、前記駆動手段によって調整可能である。
【００４１】
〔第６実施形態〕
つぎに、本発明の空調機の第６実施形態として、室内機４０について、図面を参照しながら説明する。
図１３に示される室内機４０は、天井に吊り下げて設置される天井吊下げ型の室内機であり、空調機本体４１と、無線通信用のアンテナ４５とを備えている。また、室内機４０は、第１実施形態と同様に、図３に示されるように、無線通信用回路５５と、ネットワークコネクタ５６と、空調部５０を備えている。
【００４２】
アンテナ４５は、空調機本体４１の側面パネル４２に設置されている。アンテナ４５は、しかも、アンテナ４５は、側面パネル４２のうち吹出口４３の近傍に設置されている。
アンテナ４５は、シート状または板状の指向性アンテナであり、空調機本体４１の側面パネル４２にほぼ平滑に設置されている。
【００４３】
＜第６実施形態の特徴＞
（１）
第６実施形態の室内機４０は、アンテナ４５が側面パネル４２に設置されているので、天井に対して水平方向が無線通信の放射方向となり、居室内における人が存在する可能性が高い位置との無線通信が容易になる。
（２）
第６実施形態の室内機４０は、アンテナ４５が吹出口４３の近傍に設置されているので、天井に対して水平方向が無線通信の放射方向となり、居室内における人が存在する可能性が高い位置との無線通信がさらに容易になる。
（３）
第６実施形態の室内機４０は、アンテナ４５が空調機本体１１におけるアンテナ４５の設置場所にほぼ平滑に設置可能なシート状または板状のアンテナであるので、受信感度が向上する。しかも、アンテナ４５が空調機本体１１の表面から突出しないので、見た目がよい。
【００４４】
＜第６実施形態の変形例＞
（Ａ）
第６実施形態の天井吊下げ型の室内機４０は、吹出口４３が１箇所のみであるが、本発明はこれに限定されるものではなく、空調機本体４１の４つの側面すべてに吹出口が形成された室内機であってもよい。この場合も、アンテナ４５が側面パネルまたは吹出口近傍に設置されることにより、天井に対して水平方向が無線通信の放射方向となり、居室内における人が存在する可能性が高い位置との無線通信がさらに容易になる。
【産業上の利用可能性】
【００４５】
本発明は、空調機本体の室内露出部分にアンテナを配置することができる空調機であれば種々の態様の空調機に採用され得る。すなわち、本発明は、上記実施形態に係る天井埋設型または天井吊下型の空調機だけでなく、床置き型や壁掛け型などの種々の形態の空調機にも採用され得る。また、本発明は、除湿器、換気扇、および全熱交換器などの空調機にも採用され得る。
【図面の簡単な説明】
【００４６】
【図１】本発明の空調機の第１実施形態に係る空調システムの構成図。
【図２】図１の室内機の斜視図。
【図３】図１の空調システムのブロック図。
【図４】図１の室内機の底面図。
【図５】図２のアンテナおよびコーナパネルの斜視図。
【図６】本発明の空調機の第２実施形態に係る室内機の斜視図。
【図７】本発明の空調機の第３実施形態に係る室内機の斜視図。
【図８】本発明の空調機の第４実施形態に係る室内機の斜視図。
【図９】図８の吸気グリルおよびアンテナの向きの調整を示す図。
【図１０】本発明の空調機の第５実施形態に係る室内機の斜視図。
【図１１】図１０のアンテナおよびフラップの駆動機構を示す斜視図。
【図１２】本発明の空調機の第５実施形態の変形例におけるアンテナおよびフラップの駆動機構を示す斜視図。
【図１３】本発明の空調機の第６実施形態に係る室内機の斜視図。
【符号の説明】
【００４７】
１  室内機
１１  空調機本体
１２  吸気グリル
１３  フラップ
１４  前面パネル
１５  吹出口
１６  吸込口
１８  コーナパネル
１９、２３、２４、
２５、３１、４５  アンテナ
５５  無線通信用回路
【図１】
2006336883.tif 000003
【図２】
2006336883.tif 000004
【図３】
2006336883.tif 000005
【図４】
2006336883.tif 000006
【図５】
2006336883.tif 000007
【図６】
2006336883.tif 000008
【図７】
2006336883.tif 000009
【図８】
2006336883.tif 000010
【図９】
2006336883.tif 000011
【図１０】
2006336883.tif 000012
【図１１】
2006336883.tif 000013
【図１２】
2006336883.tif 000014
【図１３】
2006336883.tif 000015